(57)【要約】【課題】停電時においても、屋内などに位置された表示装置に対してアンテナによる放送の受信が可能な表示装置及び電源供給方法を提供する。【解決手段】実施形態において、電子機器は、増幅部と、受信処理部と、第一の電源部と、第二の電源部と、を具備する。増幅部は、アンテナが放送波を受信した信号の利得を高める。受信処理部は、前記増幅部により増幅された信号を復調して所望の番組を再生する。第一の電源部は、前記受信処理部及び前記増幅部に、商用電源からの電源を供給する。第二の電源部は、前記商用電源と独立に内部に設けられ、前記増幅部及び前記受信処理部に、前記商用電源の遮断時に電源を供給する。【選択図】図１
2013077902.tif 000002
【特許請求の範囲】
【請求項１】
アンテナが放送波を受信した信号の利得を高める増幅部と、
前記増幅部により増幅された信号を復調して所望の番組を再生する受信処理部と、
前記増幅部及び前記受信処理部に、商用電源からの電源を供給する第一の電源部と、
前記商用電源と独立に内部に設けられ、前記増幅部及び前記受信処理部に、前記商用電源の遮断時に電源を供給する第二の電源部と、
を具備する電子機器。
【請求項２】
前記第一の電源部と前記第二の電源部とを切り替える切り替え部をさらに具備する請求項１記載の電子機器。
【請求項３】
前記商用電源の遮断を検出して前記切り替え部を切り替える切り替え制御部をさらに具備する請求項２記載の電子機器。
【請求項４】
前記受信処理部が再生した映像を表示する表示部をさらに具備する請求項３記載の電子機器。
【請求項５】
前記切り替え制御部により前記第二の電源部から電源が供給された場合に前記受信処理部へ前記第二の電源部からの電源供給を抑止する分離器をさらに具備する請求項４記載の電子機器。
【請求項６】
アンテナが放送波を受信した信号の利得を高める増幅部及び増幅部により増幅された信号を復調して所望の番組を再生する受信処理部に、商用電源からの電源供給の遮断を検出し、
前記増幅部及び前記受信処理部に、商用電源とは異なる内部電源からの電源を供給する電源供給方法。
【発明の詳細な説明】
【技術分野】
【０００１】
本発明の実施の形態は、放送事業者または配信事業者が供給する番組またはコンテンツを受信して再生して表示する電子機器及び電源供給方法に関する。
【背景技術】
【０００２】
放送局（放送事業者）あるいは配信事業者が供給する番組（コンテンツ）を受信して再生して表示する表示装置において、屋外での使用や停電時などの非商用電源からの電力により動作可能としたものが既に開発されている。
【０００３】
反面、利用者の自宅における利用あるいは設置環境に関連し、放送局からの放送を受信する際の利得（ゲイン）を高めるため、アンテナと表示装置の間にブースター（増幅器）を設ける場合も多い。ブースターは、駆動原（電源）を必要とし、その場合、通常は商用電源を用いている。
【先行技術文献】
【特許文献】
【０００４】
【特許文献１】実公平４−４８０６２号公報
【発明の概要】
【発明が解決しようとする課題】
【０００５】
放送を受信する際の利得を高めるためにブースターを用いる場合、停電時には、表示装置側にバッテリ（非商用電源）が用意されている場合であっても、ブースターが非動作となることが多く、表示装置において放送を再生することは困難である。
【０００６】
本発明は、停電時においても、屋内などに位置された表示装置に対してアンテナによる放送の受信が可能な電子機器及び電源供給方法を提供するものである。
【課題を解決するための手段】
【０００７】
実施形態によれば、電子機器は、増幅部と、受信処理部と、第一の電源部と、第二の電源部と、を具備する。増幅部は、アンテナが放送波を受信した信号の利得を高める。受信処理部は、前記増幅部により増幅された信号を復調して所望の番組を再生する。第一の電源部は、前記受信処理部及び前記増幅部に、商用電源からの電源を供給する。第二の電源部は、前記商用電源と独立に内部に設けられ、前記増幅部及び前記受信処理部に、前記商用電源の遮断時に電源を供給する。
【図面の簡単な説明】
【０００８】
【図１】実施形態を適用する表示装置の一例を示す。
【図２】実施形態を適用する表示装置の動作の一例を示すフローチャート。
【発明を実施するための形態】
【０００９】
以下、実施の形態について図面を参照して説明する。なお、以下に説明する要素や構成は、ハードウエアで実現するものであってもよいし、マイクロコンピュータ（Central Processing Unit、ＣＰＵ）すなわち処理装置等を用いてソフトウエアで実現するものであってもよい。
【００１０】
図１に一例を示すが、実施形態を適用する電子機器１０１は、例えば放送局（放送事業者）あるいは配信事業者が供給する番組（またはコンテンツ）を受信して再生して表示する表示装置、例えばテレビジョン受信装置である。なお、電子機器１０１は、例えばモニター装置（ディスプレイ）とＳＴＢ（Set Top Box、広義には外部チューナー装置と解され、狭義にはコンテンツ配信事業者が設置する分岐器等を示す）とが組み合わせられた装置、モニター装置に接続して利用される録画再生装置（レコーダー）もしくはＰＣ（パーソナルコンピュータ）であってもよい。また、電子機器１０１は、例えば家庭内（あるいは小規模事業所内）などの限られた領域内のプライベートネットワーク（ＬＡＮ（Local Area Network））などを介して、さまざまな通信相手先機器と相互に通信可能であってもよい。
【００１１】
電子機器（以下単にテレビ装置と称する）１０１は、受信した放送すなわち番組（コンテンツと称することもある）の映像（Video）を再生して表示する映像表示デバイス（モニター装置）１１１、番組の音声（オーディオ，Audio）を再生するスピーカー（音声再生装置）１１３、任意のチャンネルの放送を受信して、出力映像及び出力音声を映像表示デバイス１１１及びスピーカー１１３に出力するチューナー／映像・音声処理回路ブロック１１５を、少なくとも含む。なお、チューナー／映像・音声処理ブロック１１５は、例えばチューナーと映像・音声処理ブロックとが独立に用意されてもよいし、映像・音声処理ブロックが複数の要素（またはブロック）を含むものであってもよい。
【００１２】
チューナー／映像・音声処理ブロック１１５の前段には、放送を受信するためのアンテナ（ＡＮＴ）１１が、ＲＦ（Radio Frequency，入力またはゲインと称することもある）入力端１１７及びＤＣ分離器（キャパシター）１１９を介して接続される。
【００１３】
なお、個々の要素の動作や信号処理などは、ＣＰＵ（制御ブロック）１２１により制御される。
【００１４】
アンテナ１１とＲＦ入力端１１７との間には、アンテナ１１が受信した放送の利得（ゲイン）を所定のレベルに高める（増幅する）ブースター１３が位置する。
【００１５】
映像表示デバイス１１１、スピーカー１１３及びチューナー／映像・音声処理ブロック１１５は、切り替え器１２３を介して、商用電源（ＡＣライン）と接続する電源回路１２５及び充電池（二次電池）すなわちバッテリー１２７と接続する。なお、切り替え器１２３には、電圧調整器１２９を介してブースター１３が接続する。
【００１６】
図１に示したテレビ装置（表示装置）１０１においては、アンテナ１１から入力したＲＦ（Radio Frequency）信号は、ブースター（ＲＦブースター）１３を経由し、チューナー／映像・音声処理ブロック１１５に入力される。
【００１７】
チューナー／映像・音声処理ブロック１１５にて処理された音声信号は、スピーカー１１３から出力される。
【００１８】
チューナー／映像・音声処理ブロック１１５にて処理された映像信号は、映像表示デバイス１１１に、例えば動画あるいは静止画として表示される。
【００１９】
また、ＡＣ電源（外部電源）すなわち商用電源がテレビ装置１０１の電源回路１２５に接続され、通常時の電源が供給され、上述の各要素が駆動される（動作する）。
【００２０】
すなわち、上述のテレビ装置１０１は、商用電源（ＡＣライン）によりＡＣ電源（外部電源）が供給されている場合（通常時）には、電源回路１２５からブースター１３、チューナー／映像・音声処理ブロック１１５及び映像表示デバイス１１１のそれぞれに、電源（電力）が供給される。
【００２１】
一方で、例えば停電などにより、商用電源（ＡＣライン）が遮断されてＡＣ電源（外部電源）が供給されない場合は、例えば電源回路１２５をモニタするＣＰＵ１２１の判定に従い切り替え器１２３が動作され、ブースター１３、チューナー／映像・音声処理ブロック１１５及び映像表示デバイス１１１のそれぞれに、バッテリー１２７から電源（電力）が供給される。また、電圧調整器１２９を介して、ブースター１３についてもバッテリー１２７から電源（電力）が供給される。
【００２２】
すなわち、図２に一例を示すが、ＡＣライン（商用電源）の非接続（遮断）を検出した場合［０１−ＹＥＳ］、切り替え器１２３が動作され［０２］、電源（電力）供給元がバッテリー１２７に切り替えられる。なお、ブースター１３に供給される電源（電力）は、電圧調整器１２９により、予め設定されているブースター１３の種別や規格に基づいた所定の電圧に設定される［０３］。
【００２３】
もちろん、ＡＣライン（商用電源）の接続（復帰）が検出された時点［０４−ＹＥＳ］で、電源（電力）は、商用電源（ＡＣライン）に戻される。
【００２４】
これにより、例えば弱電界地域等において、ＲＦブースター（ブースター１３）を使用している場合であっても、ＡＣ電源（外部電源）により電源（電力）が供給されている時（通常時）はもちろん、停電などにより、商用電源（ＡＣライン）が遮断された場合においても、テレビ放送（アンテナ１１により受信する放送の番組）を視聴することが可能となる。
【００２５】
また、バッテリーを持たない場合や、バッテリーがテレビ装置（電子機器）のみに電源（電力）を供給可能である場合、もしくはブースターが別の（独立した）ＡＣラインからの電源（電力）供給により動作する場合等において、商用電源の遮断（非接続）に伴ってテレビ装置が視聴できなくなることが、解消する。
【００２６】
以上説明したように、実施形態を適用することで、受信利得（ゲイン）を高めて放送を受信する場合において、ＡＣ電源（外部電源）による電源（電力）の供給が、停電などにより遮断された場合においても、実質的なコストアップを必要とすることなくテレビ放送（アンテナにより受信する放送の番組）を視聴することができる。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
１１…アンテナ、１３…ブースター、１０１…テレビジョン装置（電子機器）、１１１…映像表示デバイス、１１３…音声再生装置、１１５…映像表示デバイス、１１７…ＲＦ（Radio Frequency）入力端、１１９…キャパシター（ＤＣ分離器）、１２１…ＣＰＵ（制御ブロック）、１２３…切り替え器、１２５…電源回路、１２７…バッテリー（充電池）、１２９…電圧調整器。
【図１】
2013077902.tif 000003
【図２】
2013077902.tif 000004